(57)【要約】【課題】運動不足の人口が多くなっている、また捻挫、アキレス筋、ケガなどの復活には時間が必要であり、これらのケヤーに足首の運動装置を考案する。【解決手段】両足が固定可能な１枚の板を、この板の下の方を円回転軸とする、モーターの変心軸と、足置き板の裏面をクランクロットエンドで接続する、クランクロットエンドの両端をカラにしてクランク運動がスムーズな動きにして、クランクロットエンドカラの両端をピンで固定する、両足または片足を板にベルトで固定して、タイマーなどを併用して置き、モーターのスイッチを入れ、足置き板が往復運動を繰り返し足首のケヤー回復に役立ち、解決手段とする。【選択図】    図１
0003101513.tif 000002
【実用新案登録請求の範囲】
【請求項１】
足置き運動板（１）を回転パイプ（２４）に溶接、回転パイプの左右にベアリング（２３）（２４）入れ、主軸（２２）を通し、軸固定用カラ（１２）（１２Ａ）で固定する、モーター（４）に回転板（２）を取り付け、回転板（２）と足置き運動板（１）を調整用クランク（７）で連結、モーター（４）の回転により足置き運動板（１）が往復円運動を繰り返し続ける、足首運動自動装置。
【請求項２】
足置き運動板（１）の往復運動させる調整用クランク（７）を回す事で足置き運動板（１）の位置（角度）を変える事を可能にした、足首運動自動装置。
【請求項３】
足置き運動板（１）に足をベルトなどで固定させる、足首運動自動装置。
【考案の詳細な説明】
【０００１】
【考案の解決しようとする課題】
本考案は、足首の筋肉のほぐし、運動、ストレッチ、リハビリに関する装置。
【０００２】
【考案が解決するための手段】
上記の目的を解決するために、足首の動きがにぶった時、自分で足置き運動板（１）に足をベルト（１８）（１８Ａ）で固定し、モーター（４）の電源スイッチをＯＮにする、またタイマーを併用すればセットした時間だけ足首の運動を続ける事が可能にするもの
である。
【０００３】
本考案を詳細に説明する、
図１の足置き運動板（１）から足置き運動板（１Ａ）までを、図３の中心軸（２２）を芯に円運動させる、モーター（４）の軸に回転板（２）を設け、その回転板（２）の中心よりずれた位置に、調整用クランクロットエンドカラ（３）を取り付けする、この調整用クランクロットエンドカラ（３）の反対側の調整用クランクロットエンドカラ（１０）を足置き運動板（１）の裏面に取り付ける、これでモーター（４）の回転により往復運動を繰り返す。
【０００４】
調整用クランク（７）をどちらか回すことで調整用クランクロットエンドカラ（３）（１０）が伸縮して、足置き運動板（１）の円運動の位置を変える事が可能にする。
【０００５】
【考案の実施の形態】
図１は本考案の側面図であり、足置き運動板（１）の動きを示した図である、足置き運動板（１）が回転パイプ（２４）に溶接され、回転パイプ（２４）の中心軸（２２）を芯として円運動するものである、中心軸（２２）を左右の固定用カラ（１２）（１２Ａ）にて固定する。モーター（４）の軸に回転板（２）を設けて、回転板（２）に、調整用クランクロットエンドカラ（３）を固定用ピン（２１）で固定する、またその反対に調整用クランクロットエンドカラ（１０）を、足置き運動板（１）の裏面に固定用ピン（２１）で固定する、（足置き運動板（１）の裏面に固定する場合、クランク取り付け座（１１）（１１Ａ）を溶接して置く）足首運動自動装置を取り付け延長板（１６）は、足首運動をする場合は、中心の蝶つがい（１７）を中心に伸ばして、延長板（１６Ａ）の状態にして、自分のお尻をのせ体重を掛けて使用する。モーター（４）の回転の速さ調整し、さらにタイマーをセットして使用する。
【０００６】
図２は、上から見た図平面図であり、足置き運動板（１）の動き状態を示し、モーター（４）の回転板（２）と調整クランクの状態を示したものある。
【０００７】
図３は調整用クランクロットエンドカラ（３）を足置き運動板（１）に取り付け部分を拡大で示したものである。
【０００８】
図４は、足置き運動板（１）の取り付け構造正面拡大図である、中心軸（２２）を左右の軸固定用カラ（１２）（１２Ａ）で固定し、これを足首運動自動装置取り付けベース（６）に固定る、回転パイプ（２４）に足置き運動板（１）を溶接する、足置き運動板（１）の取り付けパイプ（２４）の左右にベアリングを施し、足置き運動板（１）の往復運動をスムーズにするものである。
【０００９】
図５は、軸固定用カラ（１２）の拡大図である、軸固定用カラ（１２）を、取り付けベース（１３）に溶接接合する、これを足首運動自動装置取り付けベース（６）にネジで固定された足首運動自動装置である。
【００１０】
【考案の効果】
足首の動きがにぶりがちまた足首の捻挫、アキレス筋の回復には、足首運動自動装置なら一人で毎日、毎晩自動的に運動することが出来て回復が早い、動きの速さも自由に調整でき、足置き運動板（１）の動き巾の調整なども自分に合わせる事で効果が上がるものです。
【図面の簡単な説明】
【図１】足首運動自動装置を示す全体の側面図。
【図２】足首運動自動装置を示す全体の平面図。
【図３】クランクエンドカラ取り付け部分の斜視図。
【図４】往復回転運動管及び中心軸の側面図。
【符号の説明】
１、      足置き運動板
１Ａ，    足置き運動板（位置違い）
２        回転板
３、      調整用クランクロットエンドカラ
４、      モーター
５、      モーター
６、      足首運動自動装置取り付けベース
７、      調整用クランク
７Ａ、    調整用クランク
８、      調整用クランクロットエンドロックナット
８Ａ、    調整用クランクロットエンドロックナット（反対側）
９、      調整用クランクロットエンド
９Ａ、    調整用クランクロットエンド
１０、    調整用クランクロットエンドカラ（反対側）
１１、    クランクカラ
１１Ａ，  クランクカラ  （反対側）
１１Ｂ，  クランクカラ  （位置違）
１２、    主軸固定用カラ
１３、    軸固定用カラ  取り付けベース
１３Ａ，  軸固定用カラ  取り付けベース
１４、    かがと当て
１４Ａ、  かがと当て  （位置違）
１５、    かがと当てズレ止め
１５Ａ、  かがと当てズレ止め  （位置違）
１６、    足首運動自動装置取り付けベース
１７、    動自動装置取り付けベース延長用蝶つがい
１８、    固定バンド
１８Ａ、  固定バンド    （位置違）
１９      足
２０、    クランクカラ留ピン左クランクカラ留ピン右
２１Ａ、  クランクカラ留ピン右    （位置違）
２２、    中心軸
２３、    ベアリング
２３Ａ、  ベアリング
２４、    回転管
２５、    中心軸留め押しネジ
【図１】
0003101513.tif 000003
【図２】
0003101513.tif 000004
【図３】
0003101513.tif 000005
【図４】
0003101513.tif 000006
【図５】
0003101513.tif 000007
【手続補正書】
【提出日】平成15年12月2日(2003.12.2)
【手続補正１】
【補正対象書類名】明細書
【補正対象項目名】実用新案登録請求の範囲
【補正方法】変更
【補正の内容】
【実用新案登録請求の範囲】
【請求項１】
１．  足置き運動板（１）を回転パイプに溶接し、回転パイプの左右にベアリング（２３）（２４）をいれ、主軸（２２）を通し、軸固定用カラー（１２）（１２Ａ）で足首運動自動装置取り付けベース（６）に固定する。
２．  モーター（４）に回転板（２）を取り付け、回転板（２）と前記足置き運動板を調整用クランク（７）で連結する。
以上の構成を備え、前記モーターの回転により前記足置き運動板が往復運動を行う足首運動自動装置。
【請求項２】
前記調整用クランクは、一方の調整用クランクロットエンド（９）が右ネジで、他方の調整用クランクロットエンド（９Ａ）が左ネジにより構成されたことを特徴とする、請求項１に記載された足首運動自動装置。
【請求項３】
前記足置き運動板に足を止めるためのベルト（１８）（１８Ａ）を設けた、請求項１又は２に記載された足首運動自動装置。
【手続補正２】
【補正対象書類名】明細書
【補正対象項目名】図面の簡単な説明
【補正方法】変更
【補正の内容】
【図面の簡単な説明】
【図１】足首運動自動装置を示す全体の側面図。
【図２】足首運動自動装置を示す全体の平面図。
【図３】クランクエンドカラ取り付け部分の斜視図。
【図４】往復回転運動管及び中心軸の正面図。
【図５】往復回転運動管及び中心軸の側面図。
【符号の説明】
１、    足置き運動板
１Ａ、  足置き運動板（位置違い）
２、    回転板
３、    調整用クランクロットエンドカラ
４、    モーター
５、    モーターベース
６、    足首運動自動装置取り付けベース
７、    調整用クランク
７Ａ，  調整用クランク
８、    調整用クランクロットエンドロックナット（右ネジ）
８Ａ，  調整用クランクロットエンドロックナット（反対側）
９、    調整用クランクロットエンド（右ネジ）
９Ａ，  調整用クランクロットエンド（左ネジ）
１０、    整用クランクロットエンドカラ（反対側）
１１、    クランクカラ
１１Ａ，  クランクカラ  （反対側）
１１Ｂ，  クランクカラ  （位置違）
１２、    主軸固定用カラ
１３、    軸固定用カラ  取り付けベース
１３Ａ，  軸固定用カラ  取り付けベース
１４、    かがと当て
１４Ａ，  かがと当て    （位置違）
１５、    かがと当て  ずれ止め
１５Ａ，  かがと当て  ずれ止め  （位置違）
１６、    足首運動自動装置取り付けベース（延長分）
１６Ａ，  足首運動自動装置取り付けベース（延長分の位置違）
１７，    足首運動自動装置取り付けベースの延長用蝶つがい
１８、    止めベルト
１８Ａ、  止めベルト  （位置違）
１９、    足
２０、    クランクカラ留めピンモーター側（左）
２１Ａ、  クランクカラ留めピン足置き運動板側（右）
２２，    中心軸
２３、    ベアリング
２３Ａ，  ベアリング
２４、    回転管
２５、    中心軸留め押しネジ